(57)【特許請求の範囲】
【請求項１】
マイクロホン使用機器の側面に設けられた支持部と、マイクロホンが取り付けられており、上記支持部に第１または第２の状態に着脱自在に取り付けられるマイクロホン取付部とを、具備し、第１の状態における上記マイクロホン取付部と、第２の状態における上記マイクロホン取付部とがなす角度が約９０°であり、上記支持部が上記マイクロホン使用機器の側面から外方に突出した板状部を有し、上記マイクロホン取付部が、第１の状態において上記板状部をその厚さ方向の両側において挟む第１の挟持部と、第２の状態において上記板状部をその厚さ方向の両側において挟む第２の挟持部とを有することを特徴とするマイクロホン取付具。
【請求項２】
マイクロホン使用機器の側面に設けられた支持部と、マイクロホンが取り付けられており、上記支持部に第１または第２の状態に着脱自在に取り付けられるマイクロホン取付部とを、具備し、第１の状態における上記マイクロホン取付部と、第２の状態における上記マイクロホン取付部とがなす角度が約９０°であり、上記支持部が、上記マイクロホン使用機器の側面から外方に突出したＬ型アングルであって、上記マイクロホン取付部が、第１の状態において上記Ｌ型アングルの２つの構成部材をそれぞれの厚さ方向の両側において挟む第１の挟持部と、第２の状態において上記各構成部材をその厚さ方向の両側において挟む第２の挟持部とを有することを特徴とするマイクロホン取付具。
【請求項３】
請求項１または２記載のマイクロホン取付具において、前記マイクロホン取付具は、上記マイクロホンに接続されたジャックを有し、上記支持部は、第１または第２の状態において、上記ジャックと接続するレセプタクルを有することを特徴とするマイクロホン取付具。
【発明の詳細な説明】
【０００１】
【産業上の利用分野】
本発明は、マイクロホンを使用する機器にマイクロホンを取り付けるマイクロホン取付具に関し、例えば卓上据え置き及び壁掛け兼用の機器にマイクロホンを取り付けるものに関する。
【０００２】
【従来の技術】
従来、１台の機器でありながら、図５（ａ）に示すように、卓上に据え置いた状態で使用したり、同図（ｂ）に示すように壁掛け状態で使用したりする、マイクロホン使用機器がある。なお、同図（ａ）、（ｂ）において、２は機器本体、４はマイクロホン、６はマイクロホンスイッチである。
【０００３】
このような機器では、同図（ａ）、（ｂ）から明らかなように卓上に据え置いた状態と、壁掛け状態とでは、マイクロホン４の取付位置を変更する方が、マイクロホン４を使用しやすい。
【０００４】
そこで、図６（ａ）、（ｂ）に示すように、マイクロホン４取付用の孔８、１０を、機器本体２の上壁と側壁とにそれぞれ設け、図５（ａ）に示すように卓上据え置きの場合には、上壁側の孔８にマイクロホン４を取り付け、同図（ｂ）に示すように壁掛けの場合には、側壁側の孔１０に、マイクロホン４を取り付けていた。図６（ａ）、（ｂ）において、１２はマイクロホン接続用のコネクタで、これが孔８または１０に機器本体２の内部側から挿通され、これの外方に抜け止め用のリング１４が螺合され、さらにマイクロホン４に挿通された固定用のスリーブ１６がコネクタ１２に螺合される。このとき、マイクロホン４とコネクタ１２とは電気的に接続される。また、１８は、未使用の孔１０または８を被蓋するキャップである。
【０００５】
【発明が解決しようとする課題】
しかし、このような機器では、工場から出荷する場合、例えば図６（ａ）に示すように機器本体２の上壁側にマイクロホン４を取り付けるようにされている場合があり、実際に設置する場合が壁掛け状態であると、同図（ｂ）に示すように、機器本体２の裏蓋２０を外して、コネクタ１２、抜け止め用リング１４、固定用のスリーブ１６を分解し、さらに孔１０に取り付けられているキャップ１８を外して、孔１０側にコネクタ１２を抜け止め用リング１４を用いて取り付けた上で、マイクロホン１４をコネクタ１２に接続し、固定用スリーブ１６によってマイクロホン１４をコネクタ１２に固定し、孔８をキャップ１８によって被蓋しなければならず、このような作業がかなり面倒であるという問題点があった。その上、使用しない孔８または１０は、キャップ１８によって被蓋されているが、このキャップ１８が美観上問題となる。
【０００６】
【課題を解決するための手段】
上記の各問題点を解決するために、本発明は、マイクロホン使用機器の側面に設けられた支持部と、マイクロホンが取り付けられており上記支持部に第１または第２の状態に着脱自在に取り付けられるマイクロホン取付部とを、具備し、第１の状態における上記マイクロホン取付部と、第２の状態における上記マイクロホン取付部とがなす角度を約９０°としたものである。
【０００７】
上記支持部を、例えば上記マイクロホン使用機器の側面から外方に突出した板状部を有するものとし、上記マイクロホン取付部を、第１の状態において上記板状部をその厚さ方向の両側において挟む第１の挟持部と、第２の状態において上記板状部をその厚さ方向の両側において挟む第２の挟持部とを有するものとすることもできる。これら挟持部は、例えば突起によって構成することもできるし、板状部をはめ込むことができる溝とすることもできる。
【０００８】
また、上記支持部を、上記マイクロホン使用機器の側面から外方に突出したＬ型アングルとし、上記マイクロホン取付部を、第１の状態において上記Ｌ型アングルの２つの構成部材をそれぞれその厚さ方向の両側において挟む第１の挟持部と、第２の状態において上記各構成部材をその厚さ方向の両側において挟む第２の挟持部とを有するものとすることもできる。これら挟持部は、例えば突起によって構成することもできるし、板状部をはめ込むことができる溝とすることもできる。
【０００９】
さらに、マイクロホン取付部に、上記マイクロホンに接続されたジャックを設け、上記支持部に、第１または第２の状態において、上記ジャックと接続するレセプタクルを設けることもできる。
【００１０】
【作用・効果】
本発明によれば、マイクロホン使用機器の側面に設けられた支持部に、マイクロホンが取り付けられたマイクロホン取付部が、着脱自在に取り付けられる。この取付は、第１または第２の状態に変更することができ、第１の状態における上記マイクロホン取付部と、第２の状態における上記マイクロホン取付部とがなす角度を約９０°としてあるので、卓上据え置きの場合でも、壁掛けの場合でも、マイクロホン使用機器を分解しなくても、マイクロホンの取付角度を変更することができる。しかも、支持部は、マイクロホン使用機器の側面に一箇所だけ設ければよいので、卓上据え置き時でも、壁掛け時でも、未使用の孔がマイクロホン使用機器の表面から露出することがなく、美観上も優れたものとなる。
【００１１】
また、上記支持部を、上記マイクロホン使用機器の側面から外方に突出した板状部を有するものとし、上記マイクロホン取付部を、第１の状態において上記板状部をその厚さ方向の両側において挟む第１の挟持部と、第２の状態において上記板状部をその厚さ方向の両側において挟む第２の挟持部とを有するものとすれば、強固にマイクロホン取付部を支持部に取り付けることができる。
【００１２】
さらに、上記支持部を、上記マイクロホン使用機器の側面から外方に突出したＬ型アングルとし、上記マイクロホン取付部を、第１の状態において上記Ｌ型アングルの２つの構成部材をそれぞれその厚さ方向の両側において挟む第１の挟持部と、第２の状態において上記各構成部材をその厚さ方向の両側において挟む第２の挟持部とを有するものとすれば、より強固にマイクロホン取付部を支持部に取り付けることができる。
【００１３】
また、マイクロホン取付部にマイクロホンに接続されたジャックを設け、支持部にジャックと接続するレセプタクルを設ければ、第１及び第２の状態いずれに支持部にマイクロホン取付部を取りつけても、その取付と同時に、マイクロホンの電気的接続を行うことができる。
【００１４】
【実施例】
本実施例も、図４（ａ）に示すように卓上に据え置いたり、或いは同図（ｂ）に示すように壁に掛ける機器であって、マイクロホン２２を使用するものに、本発明を実施している。本実施例は、マイクロホン使用機器の本体２４を有し、その上壁にマイクロホンスイッチ２５が設けられている。
【００１５】
図２に示すように、本体２４の一側壁には円板状部２６が設けられており、その中心に位置するように、レセプタクル２８が設けられている。このレセプタクル２８は、本体２４内の電子回路にマイクロホン２２を接続するためのものである。円板状部２６から、支持部として、例えばＬ型アングル３０が図３に示すように外方に突出している。このＬ型アングル３０は、図２に示すように同じ厚さの２つの板状部３０ａ、３０ｂを有し、これらは水平及び垂直に位置し、互いになす角度が９０°である。これら板状部３０ａ、３０ｂは、円板状部２６の中心からの距離がほぼ等しい位置に設けられている。また、これら板状部３０ａ、３０ｂには、後述するマイクロホン取付部３２を固定するためのネジ孔３１ａ、３１ｂが穿設されている。
【００１６】
マイクロホン２２は、図３に示すように、マイクロホン取付部３２の突出部３４に取り付けられている。マイクロホン取付部３２は、図１（ａ）に示すように円板状部２６にほぼ等しい直径を有し、Ｌ型アングル３０の突出寸法にほぼ等しい長さ寸法を有する円柱状部の後端部に同一直径の半球状部を一体に形成した形状をなしている。このマイクロホン取付部３２の前端部の中心から図３に示すようにジャック３６が突出している。このジャック３６は、レセプタクル２８と接続されるもので、マイクロホン取付部３２内において、マイクロホン２２に接続されている。なお、３８は、このジャック３６の胴部で、図１（ａ）に点線で示すように側面形状が概略Ｌ字状をなしている。
【００１７】
マイクロホン取付部３２のジャック３６をレセプタクル２８に接続しただけでは、マイクロホン２２の重みによってマイクロホン２２は、ジャック３６を中心として任意に回転する。この回転を所望の角度、例えば図４（ａ）に示すように突出部３４が本体２４の底面に対して垂直な状態（卓上据え置きの状態）と、同図（ｂ）に示すように突出部３４が本体２４の底面に対して水平な状態（壁掛け状態）とのいずれにも固定可能としている。なお、卓上据え置き状態での突出部３４と、壁掛け状態での突出部３４とがなす角度は、約９０°である。
【００１８】
上記のように固定可能とするため、マイクロホン取付部３２の内面には、図１（ａ）乃至（ｃ）に示すように、突出部３４と対向させて、台部４０がマイクロホン取付部３２の長さ方向に沿って後端部側まで形成されている。この台部４０には、図１（ａ）に示すように外部からネジ４２を挿通可能に貫通孔４４が形成されている。この貫通孔４４は、マイクロホン取付部３２の前端部を円板状部２６に接触させた状態で、マイクロホン取付部３２内に侵入したＬ型アングル３０のネジ孔３１ａ、３１ｂに対応する位置に形成されている。
【００１９】
図１（ａ）、（ｂ）に示すように、台部４０の両端の後端部からマイクロホン取付部３２の中心側に向かって、板状部３０ａ、３０ｂの厚さ寸法にほぼ等しい間隔を隔てた位置に、円弧状の突部４６、４８が形成されている。これら円弧状の突部４６、４８は、マイクロホン取付部３２の中心側に凸に形成された、頂角が約９０°のものであり、台部４０と協働して、図１（ｂ）（図１（ａ）、（ｂ）は、図４（ａ）に示すように突出部３４が本体２４の底面に垂直な状態におけるマイクロホン取付部３２とＬ型アングルとの関係を拡大して示したものである。）に示すような状態では、Ｌ型アングル３０の板状部３０ａを拘束し、図１（ｃ）（図１（ｃ）は図４（ｂ）に示すように突出部３４が本体２４の底面に対して平行な状態におけるマイクロホン取付部３２とＬ型アングルとの関係を拡大して示したものである。）に示すような状態では、Ｌ型アングル３０の板状部３０ｂを拘束する。なお、これら円弧状突部４６、４８は、突出部３４からマイクロホン取付部３２の中心を通る線を対称軸として線対称に配置されている。
【００２０】
円弧状突部４８から突出部３４側に向かって延長した線上に位置するように、マイクロホン取付部３２の内面から平板状の突部５０が円弧状突部４８側に向かって突出している。この平板状の突部５０も、マイクロホン取付部３２の後端部に設けられている。
【００２１】
これら平板状突部５０及び円弧状突部４８から外方に、Ｌ型アングル３０の板状部３０ａ、３０ｂの厚さ寸法にほぼ等しい寸法を隔てた位置に、台部４０に向かう方向に間隔を隔てて、２つの平板状の突部５２、５４がマイクロホン取付部３２の内面に形成されている。これら円弧状突部４６、平板状突部５０、５２、５４が協働して、図１（ｂ）に示すように突出部３４が本体２４の底面に垂直な状態において、Ｌ型アングル３０の板状部３０ｂを拘束する。
【００２２】
また、突出部３４からマイクロホン取付部３２の中心を通る線を対称軸として平板状突部５０、５２、５４と線対称に、平板状突部５６、５８、６０が形成されている。これら平板状突部５６、５８、６０と、円弧状部４６は、図１（ｃ）に示すように、突出部３４が本体２４の底面に平行な状態において、Ｌ型アングル３０の板状部３０ａを拘束する。なお、板状部５２、５４、５８、６０も、板状部５０、５６と同様にマイクロホン取付部３２の後端部に設けられている。
【００２３】
このように突出部３４が本体２４の底面に対して垂直な状態では、台部４０、円弧状突部４６、４８、平板状突部５０、５２、５４が、Ｌ型アングル３０の各板状部３０ａ、３０ｂを拘束しており、これらが第１の挟持部を構成している。また、突出部３４が本体２４の底面に対して平行な状態では、台部４０、円弧状突部４６、４８、平板状突部５６、５８、６０がＬ型アングル３０の各板状部３０ａ、３０ｂを拘束しており、これらが第２の挟持部を構成している。このように円弧状部４８は、据え置き状態において、Ｌ型アングル３０の両板状部３０ａ、３０ｂ双方を拘束するために使用され、円弧状部４６は、壁掛け状態において、Ｌ型アングル３０の両板状部３０ａ、３０ｂ双方を拘束するために使用されており、Ｌ型アングル３０をいずれの状態において拘束するのに使用する部品点数を減少させられる。
【００２４】
なお、図１（ａ）、（ｂ）に示すように、突出部３４が本体２４の底面に垂直な状態では、ネジ４２が貫通孔４４を介してＬ型アングル３０の板状部３０ａのネジ孔３１ａに螺合して、マイクロホン取付部３２がＬ型アングル３０から離脱するのを防止すると共に、突出部３４が本体２４の底面に垂直な状態を強固に維持している。また、図１（ｃ）に示すように、突出部３４が本体２４の底面に平行な状態では、ネジ４２が貫通孔４４を介してＬ型アングル３０の板状部３０ｂのネジ孔３１ｂに螺合して、マイクロホン取付部３２がＬ型アングル３０から離脱するのを防止すると共に、突出部３４が本体２４の底面に平行な状態を強固に維持している。
【００２５】
このように構成されたマイクロホン取付具では、図１（ａ）、（ｂ）、図４（ａ）に示すような卓上据え置きの状態から、図４（ｂ）に示すような壁掛け状態とする場合には、ネジ４２をネジ孔３１ａから外し、マイクロホン取付部３２をＬ型アングル３０から外し、図１（ｃ）に示すようにマイクロホン取付部３２を９０°回転させて、突出部３４を本体２４の底面に平行に配置し、Ｌ型アングルの板状部３０ａを板状部５６、５８、６０、円弧状部４６によって拘束し、かつ板状部３０ｂを台部４０、円弧状部４６、４８によって拘束する。そして、貫通孔４４からネジ４２を挿通し、Ｌ型アングルの板状部３０ｂのネジ孔３１ｂに螺合させる。このような状態から逆に図１（ａ）、（ｂ）に示すような状態に変更することも同様に可能である。
【００２６】
上記の実施例では、支持部としてＬ型アングル３０を使用したが、これに代えて、例えばＬ型アングル３０の一方の板状部３０ａまたは３０ｂのみを設けてもよい。例えば板状部３０ａのみを設けた場合には、板状部５８、６０を除去して、台部４０と同様な台部を設ければよい。この場合、台部４０と円弧状突部４６、４８が第１の挟持部となり、板状部５８、６０に代えた台部と円弧状突部４８と板状部５６とが第２の挟持部となる。このように構成すると、構成は上記の実施例より簡単になるが、マイクロホン２２等の重量を全て１枚の板状部３０ａによって受けることになるので、強度上の問題が生じる恐れがある。この実施例では、Ｌ型アングル３０によってマイクロホン２２等の重量を受けているので、強度は充分である。
【００２７】
また、上記の実施例では、円弧状部４６、４８、板状部５０、５２、５４、５６、５８、６０及び台部４０を用いて、Ｌ型アングル３０にマイクロホン取付部３２を固定したが、円弧状部４６、４８、板状部５０、５２、５４、５６及び５８、６０の代えて、マイクロホン取付部３２の内周面に、Ｌ型アングルの厚さ寸法にほぼ等しい幅寸法を有する凹字状の溝を形成してもよい。
【００２８】
さらに、上記の実施例ではＬ型アングル３０と、マイクロホン取付部３２内に設けた各板状部５０、５２、５４、５６、５８、６０、円弧状部４６、４８及び台部４０を用いて、マイクロホン取付部３２をＬ型アングル３０に取り付けたが、これに代えて、例えば本体２４の円板状部２６にその中心を頂角として９０°間隔に少なくとも２つの突部または凹部を設け、これに対応するようにマイクロホン取付部３２の前端面に、凹部または突部を設けた、いわゆるクリックストップ構造を使用することもできる。但し、クリックストップ構造を使用する場合には、マイクロホン２２の自重によって自動的にマイクロホン取付部３２が回転するのを防止する手段を設けるのが望ましい。
【図面の簡単な説明】
【図１】本発明によるマイクロホン取付具の１実施例の要部の縦断面図及び使用状態を示す断面図である。
【図２】同実施例における本体の部分省略側面図である
【図３】同実施例における本体へのマイクロホン取付部の取付状態を示す図である。
【図４】同実施例の卓上据え置き状態と壁掛け状態とを示す図である。
【図５】従来のマイクロホン取付具を使用した機器の卓上据え置き状態と壁掛け状態とを示す図である。
【図６】図５のマイクロホン取付具の組立状態を示す図である。
【符号の説明】
２２  マイクロホン
２４  本体
２８  レセプタクル
３０  Ｌ型アングル（支持部）
３２  マイクロホン取付部
３６  ジャック
４０  台部（第１の挟持部  第２の挟持部）
４６  円弧状突部（第２の挟持部）
４８  円弧状突部（第１の挟持部）
５０  ５２  ５４  平板状突部（第１の挟持部）
５６  ５８  ６０  平板状突部（第２の挟持部）
【図１】
0003548232.tif 000002
【図２】
0003548232.tif 000003
【図３】
0003548232.tif 000004
【図４】
0003548232.tif 000005
【図５】
0003548232.tif 000006
【図６】
0003548232.tif 000007